【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
回路基板を収納するベース体及びカバー体とからなる基板ケースを備える遊技機であって、
前記遊技機に取り付けられる固定ベース部と、
前記基板ケースが取り付けられ、前記固定ベース部に対して、前記回路基板の一面側を視認可能となる第１の位置と前記回路基板の他面側を視認可能となる第２の位置との間で回動可能に支持される可動ベース部と、
組み付けた前記ベース体と前記カバー体とに跨るように貼付される封印シールと、
前記封印シールの表面を被覆するシール被覆部材と、
を備え、
前記シール被覆部材は、前記基板ケースに着脱自在に設けられ、
前記可動ベース部は、少なくとも前記固定ベース部と前記可動ベース部と前記基板ケースとを一体として解除不能に組み付けることによって、前記第１の位置と前記第２の位置との間においても前記シール被覆部材を前記基板ケースから取り外し不可とするシール被覆部材規制部を備え、
さらに、
前記可動ベース部は、前記固定ベース部に対して回動可能、かつ着脱可能に支持され、
前記基板ケースを前記可動ベース部に、該可動ベース部から該基板ケースを取り外した際に該取り外した痕跡が残るように取り付け可能なケース取付手段を備え、
前記基板ケースは、少なくとも前記固定ベース部と前記可動ベース部と前記基板ケースとを一体に組み付けた組付状態において、前記固定ベース部から前記可動ベース部が取り外されることを規制する可動ベース規制部を備える
ことを特徴とする遊技機。
【手続補正２】
【補正対象書類名】明細書
【補正対象項目名】０００５
【補正方法】変更
【補正の内容】
【０００５】
そこで、この種の制御基板を、ベース体とカバー体とからなる基板ケースに収納するとともに、基板ケースを破壊しない限り開封することができない封止手段（所謂カシメや封印シール等）を基板ケースに設け、開封された場合にはその痕跡が残るようにすることで、制御基板に対する不正行為が行われた可能性があることを容易に発見できるようにしたものがある（例えば、特許文献１参照）。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
【特許文献１】特開２００８−１７９１４号公報
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、基板ケースに対する不正行為を極力防止することができる遊技機を提供することを目的とする。
【手続補正７】
【補正対象書類名】明細書
【補正対象項目名】００１０
【補正方法】変更
【補正の内容】
【００１０】
上記課題を解決するために、本発明の請求項１に記載の遊技機は、
回路基板を収納するベース体及びカバー体とからなる基板ケースを備える遊技機であって、
回路基板を収納するベース体及びカバー体とからなる基板ケースを備える遊技機であって、
前記遊技機に取り付けられる固定ベース部と、
前記基板ケースが取り付けられ、前記固定ベース部に対して、前記回路基板の一面側を視認可能となる第１の位置と前記回路基板の他面側を視認可能となる第２の位置との間で回動可能に支持される可動ベース部と、
組み付けた前記ベース体と前記カバー体とに跨るように貼付される封印シールと、
前記封印シールの表面を被覆するシール被覆部材と、
を備え、
前記シール被覆部材は、前記基板ケースに着脱自在に設けられ、
前記可動ベース部は、少なくとも前記固定ベース部と前記可動ベース部と前記基板ケースとを一体として解除不能に組み付けることによって、前記第１の位置と前記第２の位置との間においても前記シール被覆部材を前記基板ケースから取り外し不可とするシール被覆部材規制部を備え、
さらに、
前記可動ベース部は、前記固定ベース部に対して回動可能、かつ着脱可能に支持され、
前記基板ケースを前記可動ベース部に、該可動ベース部から該基板ケースを取り外した際に該取り外した痕跡が残るように取り付け可能なケース取付手段を備え、
前記基板ケースは、少なくとも前記固定ベース部と前記可動ベース部と前記基板ケースとを一体に組み付けた組付状態において、前記固定ベース部から前記可動ベース部が取り外されることを規制する可動ベース規制部を備える
ことを特徴としている。
この特徴によれば、基板ケースに対する不正行為を極力防止できる。
本発明の手段１の遊技機は、
回路基板（遊技制御基板４０／主基板１０３１）を収納するベース体（ベース部材２０１／１２０１）及びカバー体（カバー部材２０２／１２０２）とからなる基板ケース（２００／主基板ケース１２００）を備える遊技機（スロットマシン１／パチンコ遊技機１００１）であって、
前記遊技機に取り付けられる固定ベース部（固定ベース３０１）と、
前記基板ケースが取り付けられ、前記固定ベース部に対して、前記回路基板の一面側を視認可能となる第１の位置（第１の回動規制位置Ａ）と前記回路基板の他面側を視認可能となる第２の位置（第２の回動規制位置Ｂ）との間で回動可能に支持される可動ベース部（可動ベース３０２）と、
固有の識別情報（ＩＤ情報）が記憶される記憶部（ＩＣチップ４０５／１４０５）及び該記憶部に記憶された前記識別情報を含む電波を発信するアンテナ部（４０６／１４０６）を有する電子タグ（４０３／１４０３）と、
前記電子タグを有し、前記ベース体と前記カバー体とを封止状態（封印状態）とするために用いられる封印シール（４００／１４００）と、
前記ベース体に設けられ、前記封印シールの一端側が貼付されるベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）と、
前記カバー体に設けられ、前記封印シールの他端側が貼付されるカバー体側シール貼付部（カバー側封印部２２４の前貼付面２２４ａ及び右上貼付面２２４ｂ／カバー側封印部１２２４の左上貼付面１２２４ｂ）と、
前記ベース体に前記カバー体を組み付けるための部材であって、前記ベース体または前記カバー体のうち一方に形成される挿通部（取付穴２２７／１６１０及び凹部２２７ａ／１６１０ａ）に挿通され他方に形成される被取付部（ネジ孔２０９／１６１１）に取り付けられる取付部（棒状部に形成された雄ネジ部）と、前記挿通部に連通し前記一方のシール貼付部（カバー側封印部２２４の前貼付面２２４ａ／ベース側封印部１２２９の後貼付面１２２９ａ）に臨むように形成される開口部（凹部２２７ａの開口２２７ｂ／凹部１６１０ａの開口１６１０ｂ）に収納される頭部（棒状部の一端に形成される頭部）と、からなる金属製の組付部材（閉鎖ネジ２２６／１２２６）と、
を備え、
前記組付部材の取付部を前記開口部から前記挿通部に挿通し前記被取付部に取り付けて前記ベース体に前記カバー体を組み付け、前記封印シールを前記ベース体側シール貼付部と前記カバー体側シール貼付部とに跨るように貼付した前記封止状態（封印状態）から該封止状態を解除した際に、前記電子タグに破損が生じ前記アンテナ部からの前記識別情報を含む電波の発信が不可能となり、
前記封印シールは、前記封止状態において前記アンテナ部が配置されていないアンテナ非配置部（封印シール４００／１４００のアンテナ非配置領域）にて、前記開口部（凹部２２７ａの開口２２７ｂ／凹部１６１０ａの開口１６１０ｂ）を被覆し、
前記ベース体側シール貼付部と前記カバー体側シール貼付部とに貼付された前記封印シールの表面を被覆するシール被覆部材（シール保護カバー２２８／１２２８）を備え、
前記シール被覆部材は、前記基板ケースに着脱自在に設けられ、
前記可動ベース部は、少なくとも前記固定ベース部と前記可動ベース部と前記基板ケースとを一体として解除不能に組み付けることによって、前記第１の位置と前記第２の位置との間においても前記シール被覆部材を前記基板ケースから取り外し不可とする規制部（側壁３１０ｃ、３１０ｄ）を備える
ことを特徴としている。
この特徴によれば、電子タグの記憶部に記憶されている識別情報を読取装置により読み取ることで、回路基板の交換等の不正行為が行われた可能性があることを容易に発見できるとともに、組付部材を開口部から取り外したり、封止状態を解除してカバー体を開封すると封印シールに破損が生じてその痕跡が確実に残るだけでなく、電子タグに破損が生じて識別情報を読取装置等により読み取ることができなくなるため、カバー体が開封された可能性があることを容易に発見することができるとともに、該電子タグの不正使用が防止される。また、金属製の組付部材の頭部が収納される開口部を被覆する位置にアンテナ部を配置しないことにより、金属製の組付部材の影響でアンテナ部に対して設定された周波数が変化するなどして読取装置への識別情報の発信が阻害されることを回避できる。
【手続補正８】
【補正対象書類名】明細書
【補正対象項目名】００１１
【補正方法】変更
【補正の内容】
【００１１】
本発明の手段２の遊技機は、手段１に記載の遊技機であって、
前記封印シール（４００／１４００）は略長方形状をなし、
前記ベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）及び前記カバー体側シール貼付部（カバー側封印部２２４の前貼付面２２４ａ及び右上貼付面２２４ｂ／カバー側封印部１２２４の左上貼付面１２２４ｂ）と前記封印シールとにおける一対の長辺部間の幅寸法または一対の短辺部間の幅寸法のうち少なくとも一方（双方）が合致し、
前記アンテナ部（４０６／１４０６）を、前記封印シールの中心位置に対して点対称に配置した（中心位置に対して対角線上に配置した。図３０参照）
ことを特徴としている。
この特徴によれば、封印シールをベース体側シール貼付部とカバー体側シール貼付部とに貼付する際に、幅寸法が合致する辺部を合わせれば、封印シールの向きが上下または左右反転してもアンテナ部が組付部材の頭部が収納される開口部を被覆する位置に配置されることがない。
【手続補正９】
【補正対象書類名】明細書
【補正対象項目名】００１２
【補正方法】変更
【補正の内容】
【００１２】
本発明の手段３の遊技機は、手段１または２に記載の遊技機であって、
前記アンテナ部（４０６／１４０６）は、破損が生じても前記電波を発信可能な発信可能部（アンテナ部における発信不可能部（溝部４０６ｃが延設される領域Ｒ４）以外の部位）及び破損が生じると前記電波を発信不可となる発信不可能部（溝部４０６ｃが延設される領域Ｒ４）と、を有し、
前記発信不可能部を、前記封止状態において前記ベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）と前記カバー体側シール貼付部（カバー側封印部２２４の前貼付面２２４ａ及び右上貼付面２２４ｂ／カバー側封印部１２２４の左上貼付面１２２４ｂ）との境界位置に配置されるようにした
ことを特徴としている。
この特徴によれば、封止状態を解除してカバー体を開封することでアンテナ部が確実に破損されて識別情報を読取装置等により読み取ることができなくなるため、カバー体が開封された可能性があることを容易に発見することができる。
【手続補正１０】
【補正対象書類名】明細書
【補正対象項目名】００１３
【補正方法】変更
【補正の内容】
【００１３】
本発明の手段４の遊技機は、手段１〜３のいずれかに記載の遊技機であって、
前記ベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）と前記カバー体側シール貼付部（カバー側封印部２２４の前貼付面２２４ａ及び右上貼付面２２４ｂ／カバー側封印部１２２４の左上貼付面１２２４ｂ）とに貼付された前記封印シール（４００／１４００）の表面（４００ａ／１４００ａ）を被覆するシール被覆部材（シール保護カバー２２８／１２２８）を備える
ことを特徴としている。
この特徴によれば、封止状態において封印シールの表面がシール被覆部材により保護されることで、封印シールや電子タグに直接触れることができなくなるため、封印シールや電子タグに対する不正行為を極力防止できるとともに、基板ケースの遊技機への取り付け、取り外し作業時や使用時等において電子タグに何らかの外力が加わって破損が生じることを回避することができる。
【手続補正１１】
【補正対象書類名】明細書
【補正対象項目名】００１４
【補正方法】変更
【補正の内容】
【００１４】
本発明の手段５の遊技機は、手段１〜４のいずれかに記載の遊技機であって、
前記ベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）と前記カバー体側シール貼付部とに貼付された前記封印シール（４００／１４００）の表面（４００ａ／１４００ａ）を被覆するシール被覆部材（シール保護カバー２２８／１２２８）と、
前記ベース体側シール貼付部または前記カバー体側シール貼付部のうち少なくとも一方の周縁の少なくとも一部に突設され、前記封印シールの貼付位置を決定するための位置決め突部（位置決め凸条４１１，４２１、位置決め角部４１２，４２２／位置決め凸条１４１１，１４２１、位置決め角部１４１２，１４２２）と、
を備え、
前記位置決め突部は、前記封印シールの表面側に配置される前記シール被覆部材（シール保護カバー２２８／１２２８の内面）に当接し、該当接によりシール被覆部材と前記封印シールの表面との間に隙間（ＳＰ）を形成可能に設けられている（図３２，４３参照）
ことを特徴としている。
この特徴によれば、シール被覆部材により封印シールの表面が被覆状態において、封印シールの貼付位置を決定するための位置決め突部を利用して、封印シールの表面とシール被覆部材とを非接触状態に維持することができるので、シール被覆部材に何らかの外力が加わった場合でも封印シールや電子タグとの接触が回避されるので、封印シールや電子タグに破損が生じることを防止できる。